(57)【要約】【課題】コンテナバッグの内容物の排出に当たって、人身事故が発生することがある。そこで受け台のようなものを設置して、貯蔵タンクに巻き込まれないようにしている工場もある。しかし、設備投資が必要であり、コンテナバッグそのものを、遠隔操作によって内容物の排出を可能にして、ホッパーに近づかないで排出できる安全性の高いコンテナバッグにするのが課題であった。【解決手段】面ファスナー利用とワンタッチロックを活用した新しいコンテナバッグとして解決した。排出口部分をゴム輪、紐、食べられるプルラン紐などで束ねて折り曲げ、その上をベルトで押さえ、さらにそのベルトを面ファスナーで固定して、ベルトの先にはロープを通してワンタッチロックで固定し、安定した丈夫なコンテナバッグとすることに成功した。この組み立ての順序の逆の操作を遠隔操作で行うことにより排出時の安全性の高いコンテナバッグになった。【選択図】    図１
2005335807.tif 000002
【特許請求の範囲】
【請求項１】
ワンタッチロックと面ファスナーの２重係合を、遠隔操作によって解除を可能にした底面開放機能を有する安全性の高いコンテナバッグ
【請求項２】
ワンタッチロックにより固定したロープを遠隔操作により解除し、次いでコンテナに取り付けた固定ベルトのコンテナ表面との面ファスナー係合を、遠隔操作により解除する底面開放機能を有する安全性の高いコンテナバッグ
【請求項３】
底面開放性のコンテナの底を収束して折り曲げ、その上で、コンテナに取り付けたエンドレスのベルトに、もう一方のベルトの端を通して、底面でクロスさせたベルトの端を面ファスナーで固定し、面ファスナーが充填する内容物の重みではずれないように、端同士をプラスチック製のワンタッチロックにロープを通すことにより係合して固定し、安全なコンテナバッグを形成させ、内容物を入れて運搬した後で内容物を取り出す際に、ワンタッチロックを遠隔操作により解除してロープを解き、次いで面ファスナー解除ロープを遠隔操作によって引っ張って面ファスナーの係合を解くことにより、底面でクロスしていたベルトがはずれ、コンテナの底の拘束が内容物の重みではずれて、コンテナの底が所定の貯蔵タンクの上で、直接開放できる安全性の高いコンテナバッグ
【請求項４】
ワンタッチロックの解除及び面ファスナーの係合の解除を、遠隔操作で可能にするための解除ロープにフック棒を引っ掛けて解除できる請求項１、２及び３の安全性の高いコンテナバッグ
【発明の詳細な説明】
【技術分野】
【０００１】本発明は、開封時の人身事故を防ぐために遠隔操作によりバッグの開封を可能にした安全性の高いコンテナバッグに関する。
【背景技術】
【０００２】公開特許フロントページ検索により１９８４年４月１５日以降の２０年間のコンテナバッグについて検索すると６２件の特許が検索できた。その中に、安全の点から自動開封装置の発明が２件あった。どちらもホッパーの上に、コンテナバッグをセットする装置の発明である。一つは、開封を機械化しかつ自動化するものである。クレーンで開封装置の所定の場所に移し、底をナイフで切る方法である（特許文献１）。他の一つは、ホッパーの上に、座板を設置し、座板をＵ字型にくり抜いて、そこから手を入れて開封操作ができるようにしたものである（特許文献２）。両者ともホッパーに人が転落しないようにしたものであるが、工場側に多額の設備投資費が必要である。【０００３】コンテナ用のソフトバッグのメーカーによっては、万一の事故に対する生産物賠償責任保険をかけてコンテナバッグを販売し、１億円のてん補限度額の身体障害保険として、事故に備えている企業もある（非特許文献１）。一般的に、コンテナバッグ開封時の事故防止については、内容物を購入しコンテナ開封の操作をする企業サイドにその責任を持たせている。開封操作時に、内容物と共に人がタンクへ転落することを防止するためのバッグの改良については、開発努力が少なく、新技術が現れていないのが現状である。【０００４】
【特許文献１】公開特許  特開平１１−２９２０４４（住友金属鉱山株式会社）
【特許文献１】公開特許  特開２００２−３３７８２３（三甲株式会社）
【非特許文献１】株式会社フクナガエンジニアリング、ホームページ
【発明の開示】
【発明が解決しょうとする課題】
【０００５】本発明では、コンテナバッグの内容物の排出に当たり受け台を設置しないで、安全に内容物排出が出来ることを課題にした。そのためには、ホッパーから離れた所で、遠隔操作によって内容物の排出を可能にする技術開発を解決しようとする課題とした。貯蔵槽の改良ではなく、コンテナバッグ自体に、遠隔操作で開封を可能にする仕組みを組み込んだ新しいバッグを提供するものである。
【課題を解決するための手段】
【０００６】１コンテナバッグの底面の開放口は強固には閉鎖しない。紐、ゴム、食べられるプルラン紐で閉じて折り曲げる。
２軽度に封じた開放口の上を底面でクロスするベルトで締めて開封口を押さえる。
３コンテナに縫い付けたエンドレスベルトの底面部分で、もう一つのベルトをクロスして通し、その端をコンテナに取り付けたベルトの他端に面ファスナーで係合させて固定する。
４面ファスナーの力は、余り強くないので、ロープが挿入できるように、ベルトの端を折り返して縫製し、その穴に１本のロープを通してその両端が固定できるようにする。
５ロープの固定方法としては、ワンタッチロック部品を使用してロープの両端を通してワンタッチロックで抜けないようにして、ロープの端を固定する。
６ワンタッチロックの解除及び面ファスナーの係合解除のために、引っ掛け用のロープを、ワンタッチロックの解除用部品と面ファスナーの片面が取り付けてあるベルトの端に挿入し、ループを形成させた。
７引っ掛け用のロープは、フック棒に引っ掛けて、コンテナから離れた場所で、引っ張ることができる位置に存在させて、引っ張ることによりワンタッチロックの解除と面ファスナーの係合解除を順に行う。
８これによりワンタッチロックに差し込んだロープを緩め、その後面ファスナーをはずし、内容物の重みで、折り曲げていたコンテナの底面の開放口が開き、コンテナ内容物が所定の貯蔵庫に排出される。
【０００７】この２段階の係合解除法の採用により遠隔操作によるコンテナバッグの底の開放が可能となり内容物の放出時の人身事故が防げる。収容したコンテナの内容物を三つの力に分散して支え、順番に解除していく手段を取り、その内二つの解除は、直接コンテナバッグに触れないで、遠隔操作で行い、コンテナの底面の開封は、内容物の自重により開放させる方法とした。
【発明の効果】
【０００８】コンテナバッグは、色々の製品の運搬に使用されている。農産物、食品、化学工業品、合成樹脂、窯業土石品、肥料、飼料等多岐にわたり、全国の工場への運搬に使用されている。
大きさとしては、６００リットルから１１００リットルの製品が多い。工場では、このコンテナバッグで運ばれた原料を受け入れて、加工するため自社の設備に入れる時に、貯蔵タンクに排出させる作業をする。この時に事故が発生することがある。そのため身体障害保険が存在している。多種多様な物品の排出作業に当たって、作業者が内容物に巻き込まれないように、コンテナの下で手作業をしないですむように、遠隔操作で、コンテナの排出口を開けることが出来れば、安全に関する効果は大いに期待できる。また、本発明の場合、特許文献１のようにコンテナを自動カッターで切り裂いて排出しないので、コンテナバッグの再利用が可能で、しかも安価で安全性の高いコンテナバッグの提供につながった。
【発明を実施するための最良の形態】
【０００９】安全性の高いコンテナバッグとするには、開封操作をコンテナバッグより離れた所での遠隔操作を可能とすることが最も望ましい。コンテナバッグの場合、輸送中に誤ってぶつけることもあると想定され、少々の衝撃に対しても密封したコンテナが開かないことと、開封する場合、遠隔操作で開き易くすることは、矛盾する一面がある。この矛盾を打破するために、コンテナバッグの底面の開口部を、三つに分散した力で封じておき、一つずつ遠隔操作で解除できるようにすることが最適であるとの結論に達した。【００１０】図によって最良の形態について述べる。図１ａの６で示した開口部をゴム輪のようなもので縛り折り曲げて、平面状にして底面とする。その底面を端のない４で示したベルトのフリーの所で押さえ、端のある５のベルトの端の図１ｂの５・２を、４のベルトに通してクロスさせるようにして、その先は図１ｂの５−１のベルトの端に向けて引き、模式的に５Ｘで示すように、コンテナバッグの底面でＸ型のベルトとして、ゴム輪で縛り折り曲げた開口部を固定する。５−２のベルトの先の裏には、面ファスナーが縫い付けられており、ベルト５の先端にある面ファスナー同士を係合させる。しかし、面ファスナーだけでは、係合力が弱いので、５−１と５−２の先に通したロープ１１と１３によって、ベルトの端を固定する。その方法としては、ロープがはずれないように、ワンタッチロックに通してはずれない仕組みを採用した。解除してコンテナの底を開放する場合には、ワンタッチロック解除ロープ１４と面ファスナー解除ロープ１５をそれぞれフック棒で引っ張ることで、それぞれ係合を解除できる。
【実施例１】
【００１１】図１ａのような容積１０００リットルの新規なフレキシブル・コンテナ（モリコン）を縫製して製造した。ベルトを縫製して取り付け上部は、３のベルト２本により、コンテナを吊り上げることが出来る構造とした。４のベルトは、下部で連続しており、５のベルトは５−１と５−２の二つの端を有し  ている。６の開口部は、取り付けてある紐で収束し折り曲げて、交差した４と５の底面で交差したベルト５Ｘにより固定されてコンテナの底面を形成させる。さらに、ベルトがはずれないように、クロスさせたベルト５の端５−２の裏には、ベルクロ面ファスナーの一面が縫い付けてあり、コンテナに縫い付けてある他の端５−１の先にある面ファスナーと係合させて固定する。さらに、５−１と５−２の先端部には、ロープが通るように折りたたんだベルトの短尺物が、８と９に折り曲げて縫い付けてあり、そこに１本のロープを通し、その先をワンタッチロックによって固定し、ベルクロ面ファスナーがはずれないように、固定した。この作業により２から内容物を入れることのできるコンテナバッグが形成された。【００１２】形成された新しいフレキシブル・コンテナバッグ（モリコン）に、ポリエチレンペレットを２から給入し、フィルム成型工場に運搬した。運搬後に、所定の貯蔵タンクの上にクレーンで運び、地面と同レベルにあるホッパーには近づかないように、ワンタッチロック解除ロープを、遠くからフック棒で引っ掛けて引っ張り、ロックを解除した。ロープ１３は、５−２のベルトの端から抜けて、ベルトは、面ファスナーの係合力のみで維持された状態になる。間もなくベルトの端５−２は、他端の５−１の面ファスナーからはずれそうになるが、フック棒を面ファスナー解除ロープに引っ掛けて、引っ張って面ファスナーの係合を完全に解除した。交差したベルト４と５の５Ｘ構造が解かれて、５−２の端はフリーになった。続いて内容物のポリエチレンペレットの重みで耐えられなくなり、紐による縛りが解けて、ポリエチレンペレットは所蔵タンクに落下した。すなわち遠隔操作で安全に排出できた。このコンテナバッグを再度使用するために、前項の操作をくれ返して再輸送に使用した。この新規な安全性の高いコンテナバッグはユーザーから好評を得た。なお、排出口を縛るものは内容物の利用の害にならないものを用いるか、６の先に取り付けて再利用するのが良い。
【産業上の利用可能性】
【００１３】色々の産業で、容積の異なるフレキシブル・コンテナバッグは広く使用されている。小袋輸送からコンテナバッグ輸送へ、さらに２０フィートコンテナによるバルク輸送へと物流改革が進んでいる。大型になるほど、排出時の人身事故が起き易い。本発明は、化学工業品、合成樹脂、セメント、食品、飼料、肥料等の各産業において利用でき、その原料や製品の輸送に貢献できる安全性の高い新規なコンテナバッグである。
【図面の簡単な説明】
【００１４】
【図１】ａコンテナの全体を示す模式図  ｂ本発明の仕組みを示すａの７の拡大模式図
【符号の説明】
【００１５】１コンテナバッグ
２コンテナへの投入口
３吊り下げベルト
４コンテナへ縫い付けたベルト
５コンテナへ縫い付けた他方のベルト
５−１  コンテナに縫い付けたベルト５の端
５−２  コンテナの底でクロスさせた５の別の端で、面ファスナーで５−１の先に係合できる。
５Ｘ  ４と５のベルトは、コンテナ１の底で、Ｘ型に交差して、折り曲げた６を固定する
６内容物の排出口
７本発明の仕組みを示す模式図
８５−１ベルトに縫いつけたロープ通し
９５−２ベルトに縫いつけた下側のロープ通し
１０面ファスナーを裏に縫い付けたベルトの端に近い所
１１ワンタッチロック
１２５−１のロープ通しに通したロープをワンタッチロックに通したロープ
１３５−２のロープ通しに通したロープをワンタッチロックに通したロープ
１４ワンタッチロックを開閉する部品に通したワンタッチロック解除ロープの輪
１５裏の面ファスナーの係合を解除するために引っ張るロープ、５−２の端に通したロープの輪
【図１】
2005335807.tif 000003